(57)【特許請求の範囲】
【請求項１】
透液性表面シートと不透液性裏面シートとの間に吸収体を配設した吸収性物品本体を備え、
この吸収性物品本体は、前記透液性表面シートの表面の両外側に長手方向に沿ってサイドシートをそれぞれ配設し、
前記吸収体は長手方向の中間部に両外側縁を窪ませた凹窪部を有し、
前記両サイドシートは幅方向の外側縁は前記吸収体の長手方向の両端部の外側縁に沿った長手方向に形成されるとともに幅方向の内側縁は前記吸収体の凹窪部の幅方向の中間部近傍を通って長手方向に形成し、
前記両サイドシートの内側縁近傍は長手方向に伸縮性を有し、
前記両サイドシートの長手方向の中間部を前記吸収性物品本体と一体化してこの両サイドシートの内側縁と前記吸収体の幅方向の外側縁との間に不透液性撓み変形フラップ部を形成した
ことを特徴とする使い捨て吸収性物品。
【請求項２】
不透液性撓み変形フラップ部は吸収体の両側凹窪部に位置させたことをことを特徴とする請求項１記載の使い捨て吸収性物品。
【請求項３】
サイドシートは不透液性シートにて形成したことを特徴とする請求項１または２記載の使い捨て吸収性物品。
【発明の詳細な説明】
【０００１】
【発明の属する技術分野】
本発明は乳幼児用、大人用あるいは失禁用などの使い捨ておむつまたは生理用ナプキンなどの使い捨て吸収性物品に関する。
【０００２】
【従来の技術】
従来のこの種の吸収性物品、例えば使い捨ておむつは、透液性表面シートと不透液性裏面シートとの間に吸収体を配設したおむつ本体を形成し、このおむつ本体の幅方向の両外側に位置してフラップ部を形成し、このフラップ部におむつ本体の長手方向に弾性体を排泄しておむつ本体の股下回り部の両側にレッグギャザー部を形成し、このレッグギャザー部が着用者の肌に密着し、尿などの排泄生理液の漏れることを防止する構造が採られている。
【０００３】
また、例えば、特公平６−９３９０１号公報に記載されているように、おむつ本体の透液性表面シートと不透液性裏面シートとの間に吸収体を介在し、この吸収体の幅方向の両外側にこの吸収体の長手方向に沿って弾性収縮性を有するサイドフラップを形成し、前記サイドフラップに内向きに隣接してスペーサー手段を有する尿漏れ防止ギャザー部を形成した構成が知られている。
【０００４】
【発明が解決しようとする課題】
上記従来のおむつ本体の股下回り部の両側にレッグギャザー部を形成した使い捨ておむつでは、尿などの排泄生理液をおむつ本体内に保持する構造となっていないので、排泄生理液が漏れる問題があった。
【０００５】
また、前記特公平６−９３９０１号公報に記載の構成では、おむつ本体の幅方向の両側に形成されるフラップ部にはレッグギャザー部を形成する弾性体と尿漏れ防止ギャザー部を形成する弾性体をそれぞれ配設するため、フラップ部の幅を広くする必要があり、また、レッグギャザー部を形成する弾性体と尿漏れ防止ギャザー部を形成する弾性体とを必要とするため、コストが高くなる問題を有している。
【０００６】
本発明は、上記問題点に鑑みなされたもので、おむつなどの生理液吸収性物品本体に排泄生理液が保持されるようにして確実に排泄生理液の漏れが防止できる使い捨て吸収性物品を提供するものである。
【０００７】
【課題を解決するための手段】
請求項１記載の使い捨て吸収性物品は、透液性表面シートと不透液性裏面シートとの間に吸収体を配設した吸収性物品本体を備え、この吸収性物品本体は、前記透液性表面シートの表面の両外側に長手方向に沿ってサイドシートをそれぞれ配設し、前記吸収体は長手方向の中間部に両外側縁を窪ませた凹窪部を有し、前記両サイドシートは幅方向の外側縁は前記吸収体の長手方向の両端部の外側縁に沿った長手方向に形成されるとともに幅方向の内側縁は前記吸収体の凹窪部の幅方向の中間部近傍を通って長手方向に形成し、前記両サイドシートの内側縁近傍は長手方向に伸縮性を有し、前記両サイドシートの長手方向の中間部を前記吸収性物品本体と一体化してこの両サイドシートの内側縁と前記吸収体の幅方向の外側縁との間に不透液性撓み変形フラップ部を形成したものである。
【０００８】
そして、吸収性物品本体の幅方向両側にそれぞれ配設されたサイドシートは長手方向の中間部で吸収性物品本体と一体化されたいるため、サイドシートに配設した弾性体がレッグギャザー部となり、また、吸収体の幅方向の両外側部に形成される不透液性撓み変形フラップ部は着用時に吸収体の幅方向の両外側縁側が窪んだ尿などの排泄生理液の溜まり部となり、さらに、不透液性撓み変形フラップ部の外側は起立した状態となり、排泄生理液の幅方向への漏れが防止される。
【０００９】
請求項２記載の使い捨て吸収性物品は、請求項１記載の使い捨て吸収性物品において、不透液性撓み変形フラップ部は吸収体の両側凹窪部に位置させたものである。
【００１０】
そして、吸収体の両側凹窪部に位置させて形成された不透液性撓み変形フラップ部は排泄生理液の排泄域に隣接して排泄生理液の溜まり部が形成されるとともにレッグギャザー部が形成され、排泄生理液の幅方向への漏れが確実に防止される。
【００１１】
請求項３記載の使い捨て吸収性物品は、請求項１または２記載の使い捨て吸収性物品において、サイドシートは不透液性シートにて形成したものである。
【００１２】
そして、吸収性物品本体に形成された不透液性撓み変形フラップ部は不透液性裏面シートと不透液性シートのサイドシートとにて二重となり、排泄生理液の漏れを確実に防止できる。
【００１３】
【発明の実施の形態】
次に、本発明の使い捨て吸収性物品の実施の一形態の構成を使い捨ておむつについて図面を参照して説明する。
【００１４】
図１ないし図３において、１は吸収性物品本体としてのおむつ本体で、このおむつ本体１は、液透過性を有する透液性表面シート２と、液不透過性を有する不透液性裏面シート３との間に液吸収性を有する吸収体４を配設し、このおむつ本体１は、展開状態で略細長状で長手方向の中央部を中心として略線対称の形状に形成するとともに、幅方向の中央部を中心として線対称となる左右対称の形状に形成されている。また、前記吸収体４は、長手方向の中央部を中心として略線対称の形状に形成するとともに、幅方向の中央部を中心として線対称の形状に形成されている。
【００１５】
そして、おむつ本体１の透液性表面シート２と不透液性裏面シート３は、長手方向の中間部が幅狭状となるように内方に向けて略凹弧状に切り欠かれた凹弧状縁１ａが形成され、また、前記吸収体４も長手方向の中間部が幅狭状となるように両外側縁を内方に向けて略凹弧状に窪ませた凹窪部４ａが形成されている。
【００１６】
また、前記透液性表面シート２は、尿などの排泄生理液を前記吸収体４へ透過させるために液透過性を有し、例えば、織布、不織布、多孔性フィルム、合成繊維などにておむつ本体１の全表面を覆う形状に成形されている。そして、このおむつ本体１の装着時に身体に接触する透液性表面シート２は、装着者に不快感を与えることがないように肌着に近い感触を有している。
【００１７】
また、前記不透液性裏面シート３は、上面周縁部が前記透液性表面シート２の下面周辺部に接合されている。この不透液性裏面シート３は、尿などの排泄生理液にて下着などの他の衣類、或いはシートなどを汚損することがないように液不透過性を有し、例えばポリエチレン樹脂等の合成樹脂などにて成形されている。
【００１８】
また、前記吸収体４は略細長矩形状に成型され、前記透液性表面シート２の下面中央部と前記不透液性裏面シート３の上面中央部との間に扁平状でこの透液性表面シート２と不透液性裏面シート３の凹弧状縁１ａに対向して長手方向の中間部の凹窪部４ａが位置するように配設されており、この吸収体４は、尿などの排泄生理液を十分に吸収できる、例えばパルプを主材料として一部に高分子吸収体等の物質を含んだ材料にて成形されている。
【００１９】
そして、前記吸収体４の外側に位置して前記透液性表面シート２と前記不透液性裏面シート３とにて前記吸収体４の外側にフラップ部５が形成されている。
【００２０】
さらに、前記おむつ本体１の透液性表面シート２の表面の左右には、フラップ部５から中間部まで尿などの排泄生理液を浸透しない性質を有する、例えばポリプロピレン樹脂等などの不透液性シートにて成形されたサイドシート６，６が重合され、この左右のサイドシート６，６の内側縁部間には透液性表面シート２の中央部が露出されている。そして、このサイドシート６，６は、透液性表面シート２に合わせて長手方向の中間部の外側縁が内方に向って略凹弧状に切り欠かれた略細長矩形状に形成され、このサイドシート６，６の下面の外側縁部が前記透液性表面シート２の上面周縁部に接合されている。
【００２１】
次に、前記おむつ本体１は、図１に示す展開状態から適宜に折り曲げられて、幼児、失禁者等の身体に装着されるもので、展開状態における長手方向の中間部に形成した身体への着用時に股下に位置する股下回り部７の長手方向の一端側には身体への装着時に背中側に位置する背側腰回り部８が一体に形成され、かつ前記股下回り部７の長手方向の他端側には身体への着用時に腹側に位置する腹側腰回り部９が一体に形成されている。
【００２２】
また、前記股下回り部７には、前記おむつ本体１の両側中央部に幅方向の外側縁の凹弧状縁１ａに沿った脚回り部１０，１０が形成されている。この脚回り部１０，１０は、身体への着用の際に着用者の脚回りに位置する部分で、前記吸収体４の幅方向の外縁から幅方向の外側へ前記透液性表面シート２、前記不透液性裏面シート３、およびサイドシート６，６が延出された前記フラップ部５にて形成されている。
【００２３】
そして、前記背側腰回り部８と腹側腰回り部９とは、前記股下回り部７に連続して一体に形成されており、この背側腰回り部８と腹側腰回り部９との幅方向の長さ寸法は、前記股下回り部７の幅方向の長さ寸法よりも大きく成形されている。また、この背側腰回り部８の幅方向の両側縁部には、面ファスナ１３が取着され、腹側腰回り部９の略中央部に前記面ファスナ１３と互いに係脱自在に係合する面ファスナ１４が取着されている。
【００２４】
また、前記吸収体４は、前記背側腰回り部８と腹側腰回り部９とに位置する部分の幅方向の長さ寸法が、前記股下回り部７に位置する部分の幅方向の長さ寸法よりも大きい背側吸収部１６と腹側吸収部１７となっており、この吸収体４の股下回り部７に位置する部分は幅狭の中央吸収部１８となっている。
【００２５】
そして、前記透液性表面シート２の表面側に重合された前記サイドシート６，６は図２に示すように前記吸収体４の長手方向の両端部の外側縁に沿った外側部分が接着剤１９にて透液性表面シート２に接着され、前記吸収体４の長手方向の両端部の外側縁に沿った長手方向に外側縁６ａが形成され、このサイドシート６，６の幅方向の内側縁６ｂは前記吸収体４の凹窪部４ａの幅方向の中間部近傍を通って長手方向に形成されている。
【００２６】
また、図３に示すように、前記両サイドシート６，６の長手方向の中間部は、外側縁６ａから内側縁６ｂまで接着剤１９にて透液性表面シート２に接着され、前記おむつ本体１と一体化してこの両サイドシート６，６の内側縁６ｂと前記吸収体４の幅方向の外側縁６ａとの間に前記吸収体４の両側凹窪部４ａに位置する不透液性撓み変形フラップ部２０が形成されている。
【００２７】
さらに、前記両サイドシート６，６の内側縁６ｂの近傍は弾性体２１をそれぞれ配設して長手方向に伸縮性を付与している。この弾性体２１はこのサイドシート６，６の内側縁６ｂの巻き込み縁にて包み込み接着されている。なお、この弾性体２３，２３は必要に応じた数を適宜に配設する。
【００２８】
そして、前記両サイドシート６，６の長手方向の中間部は外側縁６ａから内側縁６ｂまで接着しておむつ本体１と一体化しているため、前記弾性体２１は脚回りギャザー部の作用を兼ねるようになっている。
【００２９】
次に、上記一実施の形態の作用について説明する。
【００３０】
おむつ本体１を身体に装着するときには、おむつ本体１の股下回り部７を股下に位置させるとともに背側腰回り部８を背中側に位置させかつ腹側腰回り部９を腹側に位置させる。そして、このおむつ本体１の透液性表面シート２を身体に接触させ、このおむつ本体１の背側腰回り部８に固着されている面ファスナ１３に背側腰回り部９に固着されている面ファスナ１４をそれぞれ係脱自在に係合させて着用する。
【００３１】
この状態で、図４に示すように、おむつ本体１の幅方向両側にそれぞれ配設されたサイドシート６，６のおむつ本体１と一体化されている内側縁６ｂの中間部が弾性体２１による収縮性でレッグギャザーとなって着用者の脚回りに密着する。
【００３２】
また、吸収体４の幅方向の両外側部に形成される不透液性撓み変形フラップ部２０は着用時に吸収体４の幅方向の両外側縁６ａ側が窪んだ尿などの排泄生理液の溜まり部２２となり、さらに、不透液性撓み変形フラップ部２０の外側は起立した起立部２４が形成された状態となり、この起立部２４を乗り越えて排泄生理液が漏れることがなく排泄生理液の幅方向への漏れが防止される。
【００３３】
そして、吸収体４の両側凹窪部４ａに位置させて形成された不透液性撓み変形フラップ部２０は排泄生理液の排泄域に隣接して排泄生理液の溜まり部が形成されるとともにレッグギャザー部が形成され、排泄生理液の幅方向への漏れが確実に防止される。
【００３４】
また、弾性体２１によって伸縮性を付与されたサイドシート６，６はレッグギャザーとして作用を兼ねているため、おむつ本体１のフラップ部５に弾性体を排泄する必要がなく、フラップ部５の幅方向の寸法を短くでき、レッグギャザーを形成する弾性体と排泄生理液の漏れ防止ギャザーを形成する弾性体とを一つとすることができ、安価に製造できる。
【００３５】
また、おむつ本体１に形成された不透液性撓み変形フラップ部２０は不透液性裏面シート３と不透液性シートのサイドシート６，６とにて二重となり、排泄生理液の漏れを確実に防止できる。
【００３６】
【発明の効果】
請求項１記載の発明によれば、吸収性物品本体の幅方向両側にそれぞれ配設されたサイドシートは長手方向の中間部で吸収性物品本体と一体化されたいるため、伸縮性を有するサイドシートがレッグギャザー部となり、また、吸収体の幅方向の両外側部に形成される不透液性撓み変形フラップ部は着用時に吸収体の幅方向の両外側縁側が窪んだ尿などの排泄生理液の溜まり部となり、さらに、不透液性撓み変形フラップ部の外側は起立した状態となり、排泄生理液の幅方向への漏れが防止される。また、レッグギャザーを形成するための弾性体を必要とせず安価に製造できる。
【００３７】
請求項２記載の発明によれば、吸収体の両側凹窪部に位置させて形成された不透液性撓み変形フラップ部は排泄生理液の排泄域に隣接して排泄生理液の溜まり部が形成されるとともにレッグギャザー部が形成され、排泄生理液の幅方向への漏れが確実に防止される。
【００３８】
請求項３記載の発明によれば、吸収性物品本体に形成された不透液性撓み変形フラップ部は不透液性裏面シートと不透液性シートのサイドシートとにて二重となり、排泄生理液の漏れを確実に防止できる。
【図面の簡単な説明】
【図１】本発明の使い捨て吸収性物品の使い捨ておむつの実施の一形態を示す平面図である。
【図２】同上図１におけるＩＩ部の断面図である。
【図３】同上図１におけるＩＩＩ  部の断面図である。
【図４】同上図３における着用時の状態を示す図１におけるＩＩＩ  部の断面図である。
【符号の説明】
１    吸収性物品本体となるおむつ本体
２    透液性表面シート
３    不透液性裏面シート
４    吸収体
６    サイドシート
６ａ    サイドシート６の外側縁
６ｂ    サイドシート６の内側縁
２０    不透液性撓み変形フラップ部
２１    弾性体
【図１】
0003628210.tif 000002
【図２】
0003628210.tif 000003
【図３】
0003628210.tif 000004
【図４】
0003628210.tif 000005